(57)【要約】【課題】冊子の短手寸法の長さ以上の距離を搬送する場合でも冊子を閉じた状態で保持しながらエレベータで搬送できるようにする。【解決手段】折畳部１５により頁が閉じられて下部水平搬送路１１から排出される冊子３を集積するための集積室１９と、この集積室１９内に昇降自在に設けられ、下部水平搬送路１１から排出される冊子３を受けて上昇するエレベータ２０と、このエレベータ２０の上昇によって持ち上げられる冊子３を受けて支持する集積フラッパ２１と、エレベータ２０に設けられ、該エレベータ２０上に受け渡された冊子３が開かないように保持し、エレベータ２０の上昇により集積フラッパ２１に冊子３を受け渡す直前で冊子３の保持を解除するフックレバー２４とを具備する。【選択図】図２
2011062930.tif 000002
【特許請求の範囲】
【請求項１】
冊子を搬送路に沿って搬送する搬送手段と、
この搬送手段によって搬送される前記冊子を開く頁捲り手段と、
この頁捲り手段により捲られた頁に情報を印字する印字手段と、
この印字手段により情報が印字された冊子の頁を閉じる頁閉じ手段と、
この頁閉じ手段により頁が閉じられて前記搬送路から排出される冊子を集積するための集積室と、
この集積室内に昇降自在に設けられ、前記搬送路から排出される冊子を受けて上昇するエレベータと、
このエレベータの上昇によって持ち上げられる冊子を受けて支持する支持手段と、
前記エレベータに設けられ、該エレベータ上に受け渡された冊子が開かないように保持し、前記エレベータの上昇により前記支持手段に前記冊子を受け渡す直前で前記冊子の保持を解除する保持手段と、
を具備することを特徴とする冊子処理装置。
【請求項２】
前記保持手段は前記エレベータの昇降動作に基づいて動作して前記冊子を保持し、或いは保持を解除することを特徴とする請求項１記載の冊子処理装置。
【請求項３】
前記保持手段は基端部が支軸を介して前記エレベータに回動自在に支持されるフック部を有し、このフック部が前記支軸を中心にして回動されるにより冊子の保持及びその解除を行なうことを特徴とする請求項１または２記載の冊子処理装置。
【請求項４】
前記フック部は連結部材を介してガイドベアリングに連結され、前記ガイドベアリングが前記エレベータの昇降方向に沿って設けられたカムレールに沿って転動することにより回動されることを特徴とする請求項１乃至３の何れか一項に記載の冊子処理装置。
【発明の詳細な説明】
【技術分野】
【０００１】
本発明は、例えば、銀行通帳などを作成する冊子処理装置に関する。
【背景技術】
【０００２】
この種の冊子処理装置には、冊子を搬送路に沿って搬送し、頁捲り部で冊子の頁を開いてから印字部で情報を印字し、この印字された頁を頁閉じ部で閉じたのち、集積室内に排出するものがある。
【０００３】
集積室内には搬送路から排出される冊子を受けて集積させるようになっている（例えば、特許文献１参照。）。
【先行技術文献】
【特許文献】
【０００４】
【特許文献１】特開２００３−１８６４１１号公報
【発明の概要】
【発明が解決しようとする課題】
【０００５】
しかしながら、従来においては、搬送路から排出される冊子を単にエレベータ上に載置しただけの状態で上方へ搬送していたため、冊子に開き癖がある場合には、エレベータの上昇途中で冊子の頁が開いて，集積直前に頁をつぶす等の課題があった。
【０００６】
このため、従来においては、エレベータを高く上昇させることができず、冊子の頁が開かない距離、即ち、冊子の短手寸法の長さ以下の距離しか搬送することができない。
【０００７】
従って、冊子の集積位置が低くなり、操作者は腰を屈めて冊子を集積室から取り出さなければならず、作業性が悪いものとなっていた。
【０００８】
本発明は上記事情に着目してなされたもので、その目的とするところは、操作者が腰を屈めることなく、冊子を集積室から容易に取り出すことができるようにした冊子処理装置を提供することにある。
【課題を解決するための手段】
【０００９】
上記の課題を解決するために、請求項１記載の発明は、冊子を搬送路に沿って搬送する搬送手段と、この搬送手段によって搬送される前記冊子を開く頁捲り手段と、この頁捲り手段により捲られた頁に情報を印字する印字手段と、この印字手段により情報が印字された冊子の頁を閉じる頁閉じ手段と、この頁閉じ手段により頁が閉じられて前記搬送路から排出される冊子を集積するための集積室と、この集積室内に昇降自在に設けられ、前記搬送路から排出される冊子を受けて上昇するエレベータと、このエレベータの上昇によって持ち上げられる冊子を受けて支持する支持手段と、前記エレベータに設けられ、該エレベータ上に受け渡された冊子が開かないように保持し、前記エレベータの上昇により前記支持手段に前記冊子を受け渡す直前で前記冊子の保持を解除する保持手段とを具備することを特徴とする。
【発明の効果】
【００１０】
本発明によれば、操作者が腰を屈めることなく、集積室から冊子を容易に取り出すことができるという効果を奏する。
【図面の簡単な説明】
【００１１】
【図１】本発明の一実施の形態である冊子処理装置を示す概略的構成図。
【図２】図１の冊子集積機構を示す図。
【発明を実施するための形態】
【００１２】
以下、本発明の実施の形態について図面を参照して詳細に説明する。
【００１３】
図１は、本発明の一実施の形態である冊子処理装置を示す概略的構成図である。
【００１４】
冊子処理装置は装置本体１を有し、この装置本体１内の一側上部側には冊子収納部２が設けられている。この冊子収納部２内には綴じられた状態で冊子３が複数冊積層状態で収納されている。冊子収納部２内の冊子３は、その下部側から一冊ずつ取り出されて上部水平搬送路５に沿って搬送されるようになっている。上部水平搬送路５中には、冊子搬送方向に沿って順次、冊子３の固有情報を読み取るＯＣＲ部６、冊子３の特定の頁を捲る頁捲り手段としての頁捲り部７が配設されている。
【００１５】
上部水平搬送路５の下方部には、傾斜する状態で傾斜搬送路９が設けられている。傾斜搬送路９には印字手段としての印刷部１０が設けられている。印刷部１０は、外部端末１７から制御部１６に入力される印字情報に基づいて動作されるようになっている。
【００１６】
傾斜搬送路９の下方部には、下部水平搬送路１１が設けられている。下部水平搬送路１１には冊子搬送方向に沿って検査部１３、ＩＣ−ＲＷ部１４、冊子折畳部１５が配設されている。検査部１３は冊子に印刷された印刷内容と、外部端末１７によって入力された内容を照合して正しく印刷されたか否かを検査するものである。
【００１７】
一方、下部水平搬送路１１の冊子排出側には、冊子を集積するための集積室１９が設けられている。集積室１９は上記した冊子収納部２の下方部に上下方向に沿って設けられている。
【００１８】
次に、上記した冊子処理装置の処理動作について説明する。
【００１９】
冊子収納部２に収納された冊子３は下部側のものから閉じられた状態で一冊ずつ取り出されて搬送される。この冊子はＯＣＲ部６で冊子固有情報が読取られたのち、頁捲り部７により特定の頁が開かれる。この頁が開かれた冊子３は逆送りされたのち下方の傾斜搬送路９に送り込まれて搬送され、印刷部１０にて印字情報が印刷される。そして、印刷された冊子３は頁が開かれたまま、下方の下部水平搬送路１１に送られて搬送され、検査部１３にて冊子に印刷された印刷内容と外部端末１７により入力された内容が照合される。照合の結果、問題ないものは、後で詳しく述べるように正常集積部１９ａ、問題があったものは異常冊子集積部１９ｂへ搬送するように制御部１６から指示され、搬送を続ける。検査部１３を通過した冊子３は、正常冊子の場合は、外部端末１７から得た情報をＩＣ−ＲＷ部１４にて冊子３のＩＣに書込みＩＣ書込みの閉塞処理を行う。異常冊子の場合はＩＣ−ＲＷ部１４にて情報は書き込まずＩＣの閉塞処理のみを行う。ＩＣ−ＲＷ部１４での処理が完了した後、冊子は折畳部１５によって綴じられ、正常冊子集積部１９ａ、或いは異常冊子集積部１９ｂへ集積される。
【００２０】
次に、上記した冊子３を集積する集積室１９の内部構成について図２を参照して説明する。
【００２１】
集積室１９内の略中央部には、一対の集積フラッパ２１が配設されている。集積フラッパ２１は水平な状態から上方にのみ回動するように設けられ、後述するエレベータ２０の上昇によって搬送される冊子によって押し上げられることにより上方に回動して開放し、冊子が上方に通過したのち初期位置に復帰し、エレベータ２０が下降することにより冊子３を受け取るようになっている。
【００２２】
集積室１９内には集積フラッパ２１の下方に位置してエレベータ２０が昇降自在に設けられ、このエレベータ２０は図示しない駆動機構により冊子受取位置Ａと冊子受渡位置Ｂとの間で昇降されるようなっている。
【００２３】
エレベータ２０は上記した下部水平搬送路１１から閉じられた状態で排出される正常冊子３を冊子受取位置Ａで受け取って載置する。また、エレベータ２０は下部水平搬送路１１から排出される冊子が異常冊子の場合には、冊子受取位置Ａから所定距離上昇して受け取りを拒否し、異常冊子を集積室１９内の下方部に落下させて集積させるようになっている。
【００２４】
ところで、エレベータ２０の一側部には支軸２３を介して保持部材（フック部）としてのフックレバー２４の基端部が回動自在に取り付けられている。フックレバー２４には連結材２５を介してガイドベアリング２６が連結されている。ガイドベアリング２６は、エレベータ２０の昇降方向に沿って設けられたカムレール２８に転接され、エレベータ２０の昇降に基づいてカムレール２８に沿って回転しながら昇降する。カムレール２８は、その下部側から上部側に向かって第１のカム面２８ａ、傾斜カム面２８ｂ、第２のカム面２８ｃを有している。第１のカム面２８ａと第２のカム面２８ｃとの高低差ｈが後述するフックレバー２４の回動量となっている。
【００２５】
エレベータ２０が冊子受取位置Ａに位置するときには、ガイドベアリング２６はカムレール２８の第１のカム面２８ａに位置し、冊子受渡位置Ｂの直前に位置するときには、傾斜カム面２８ｂを通過して第２のカム面２８ｃに乗り上がるようになっている。ガイドベアリング２６がカムレール２８の第１のカム面２８ａに位置する場合には、フックレバー２４は支軸２３を中心にして反時計方向に回動されてその先端部をエレベータ２０の上面部に離間対向させ、排出されてくる冊子をエレベータ２０の上面部とフックレバー２４の先端部との間に挿入し保持できるようになっている。
【００２６】
また、ガイドベアリング２６がカムレール２８の第２のカム面２８ｃに位置する場合には、フックレバー２４は支軸２３を中心にして時計方向に回動されてその先端部をエレベータ２０の上面部から退避させ、冊子の受け渡し時における動作を妨げることのないようになっている。
【００２７】
なお、フックレバー２４はスプリングなどにより常に反時計方向、即ち、冊子を保持する方向に一定の軽加重で付勢され、冊子を上方に持ち上げて引き抜く際でも違和感なく操作できるようになっている。
【００２８】
次に、冊子の集積動作について説明する。
【００２９】
下部水平搬送路１１から排出される冊子３は、冊子受取位置Ａに位置するエレベータ２０の上面部とフックレバー２４の先端部との間に挿入されてエレベータ２０上に載置され、フックレバー２４により保持される。この保持により冊子３に開き癖があった場合でも閉じた状態に保持される。このように冊子３を受け取ったのち、エレベータ２０は上昇し、この上昇時おいてもフックレバー２４による冊子３の保持はキープされる。
【００３０】
エレベータ２０がさらに上昇し、受渡位置Ｂの直前、即ち、受渡位置Ｂからの距離が冊子の短手寸法の長さ以下まで近づいた地点まで到達すると、ガイドベアリング２６が傾斜カム面２８ｂを通過して第２のカム面２８ｃに載り上がり、フックレバー２４が時計方向に回動されてエレベータ２０上から退避する。なお、フックレバー２４を退避させるのは、集積動作の邪魔になることを防止するためであり、また、受渡位置Ｂからの距離が冊子の短手寸法の長さ以下まで近づいた地点でフックレバー２４を退避させるのは、フックレバー２４を退避させても冊子の開き癖で冊子が開かないようにするためである。
【００３１】
エレベータ２０が受渡位置Ｂの直前からさらに上昇して集積フラッパ２４を押し上げて通過すると、集積フラッパ２４は初期位置に復帰する。この状態からエレベータ２０が下降すると、エレベータ２０上の冊子３は集積フラッパ２４上に保持されて集積されることになる。
【００３２】
上記したように、この実施の形態によれば、冊子受取位置Ａでエレベータ２０上に載置した冊子３をフックレバー２４で保持するため、開き癖のある冊子であっても開きを防止することができる。従って、冊子の短手寸法の長さ以上の長距離の搬送、集積が可能になる。よって、装置の操作者に操作しやすい高さまで冊子をエレベータ搬送でき、しかも、正しく閉じた状態で集積されるため冊子の取出時における操作性、利便性が図ることができる利点がある。
【００３３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００３４】
３…冊子、５，９，１１…搬送路（搬送手段）、７…頁捲り部（頁捲り手段）、１０…印刷部（印字手段）、１５…折畳部（頁閉じ手段）、１９…集積室、２０…エレベータ、２１…集積フラッパ（支持手段）、２３…支軸、２４…フックレバー（フック部、保持手段）、２５…連結部材、２６…ガイドベアリング、２８…カムレール。
【図１】
2011062930.tif 000003
【図２】
2011062930.tif 000004